(57)【要約】【課題】より少ない光源でより長く、均整のとれた照明を実現することのできる、省エネルギー型の照明器具を提供する。【解決手段】直管状光源２と、直管状光源２を収納する筐体１とを具備した照明器具であって、直管状光源２の長手方向に沿って、直管状光源２からの光を拡散する拡散手段を具備しており、直管状光源の長手方向に沿って光を延ばすことができ、バットウイング配光を実現することができる。【選択図】図１
2010225298.tif 000002
【特許請求の範囲】
【請求項１】
直管状光源と、前記直管状光源を収納する筐体とを具備した照明器具であって、
前記直管状光源の長手方向に沿って、前記直管状光源からの光を拡散する拡散手段を具備した照明器具。
【請求項２】
請求項１に記載の照明器具であって、
前記拡散手段は、前記筐体内に配置された反射板を具備し、
前記直管状光源の長手方向に沿った断面にあって、端部から中央部に向かうにつれて、前記直管状光源と前記反射板との間隔が漸減する形状である照明器具。
【請求項３】
請求項１に記載の照明器具であって、
前記拡散手段は、前記筐体内に配置された反射板を具備し、
前記反射板のうち、前記直管状光源に臨む面は、前記直管状光源の長手方向に直交する断面にあって、直管状光源のほぼ中心に向かって凹む曲線である照明器具。
【請求項４】
請求項１に記載の照明器具であって、
前記直管状光源は、前記筐体に対して斜め方向に傾斜された照明器具。
【請求項５】
請求項４に記載の照明器具であって、
前記直管状光源は並列配置された第１および第２の直管状光源を具備し、
前記第１および第２の直管状光源は、前記筐体に対し傾斜配置された照明器具。
【請求項６】
請求項１に記載の照明器具であって、
前記拡散手段は、前記直管状光源の長手方向に沿って設けられた偏光パネルを具備し、
前記偏光パネルは、前記直管状光源の端部に行くにつれて、拡散度が大きくなるように構成された照明器具。
【請求項７】
請求項１に記載の照明器具であって、
前記拡散手段は、前記直管状光源に対して垂直方向に、複数の反射片が、前記直管状光源の端部から長手方向に沿って間隔が漸減するように配列されたものである照明器具。
【請求項８】
請求項７に記載の照明器具であって、
前記反射片は、前記直管状光源の周縁を下方から覆うように構成され、長さが、前記直管状光源の中央から端部に行くに従って漸減する照明器具。
【請求項９】
請求項７に記載の照明器具であって、
前記反射片は、前記直管状光源の周縁を上方から覆うように構成された照明器具。
【発明の詳細な説明】
【技術分野】
【０００１】
本発明は、照明器具に係り、特に冷蔵ショーケースなどのショーケース照明に用いられるものであって、直管状光源の長手方向に沿って、照射される光をショーケースの左右方向にできるだけ拡がりのある光をつくりだすことのできる照明器具に関する。
【背景技術】
【０００２】
デパート、スーパーマーケットその他の小売店で各種の商品を陳列するショーケースには、商品の様々な情報を明るく、見易くするために各棚の箇所および上縁に照明器具が配置されている。このような照明はショーケース全体を明るく照射できるように各種ショーケースの寸法に合わせて、直管状光源が連続してあるいは重なりあって配置されている。
【０００３】
また近年では、温室効果ガス排出量の削減強化に向け、ショーケース分野においてもエネルギー使用量の削減は重要なテーマにもなっている。
例えば、特許文献１に示すようにショーケースなどの照明において、光を効率よく分散させて商品を照らすルーパーを備えた照明器具も提案されている。
【先行技術文献】
【特許文献】
【０００４】
【特許文献１】特開平１１−２１９６１７号公報
【発明の概要】
【発明が解決しようとする課題】
【０００５】
ショーケース上縁に設置される照明器具にあっては、前方向の照射はもとより、ショーケースに向かって左右両端の隅々まで光を照射できることが望ましい。ショーケースの左右方向の寸法は、照明器具に収容される直管状光源の長さよりも大きいことが多く、隅々までの照射が困難であった。そのため、ワット（Ｗ）数違いの組み合わせ使用も含めて複数の直管状光源を延設するなどして、ショーケースの左右方向の寸法相当にあわせて配置されているが、コスト的また消費エネルギー的にも不利となっている。
本発明は、前記実情に鑑みてなされたもので、より少ない光源でより長く、均整のとれた照明を実現することのできる、省エネルギー型の照明器具を提供することを目的とする。
【課題を解決するための手段】
【０００６】
本発明は、直管状光源と、前記直管状光源を収納する筐体とを具備した照明器具であって、前記直管状光源の長手方向に沿って、前記直管状光源からの光を拡散する拡散手段を具備したことを特徴とする。
この構成によれば、直管状光源の長手方向に沿って光を延ばすことができ、バットウイング配光を実現することができる。
【０００７】
また、本発明は、上記照明器具において、前記拡散手段が、前記筐体内に配置された反射板を具備し、前記直管状光源の長手方向に沿った断面にあって、端部から中央部に向かうにつれて、前記直管状光源と前記反射板との間隔が漸減する形状であるものを含む。
この構成により、反射板は直管状光源の長手方向に沿った断面にあって、端部から中央部に向かうにつれて、前記直管状光源と反射板との間隔が漸減する形状としているため、直管状光源の長手方向断面においてはバットウイング配光を行なうことができ、直管状光源の長さ寸法よりも広い範囲にわたって光を照射することができる。
【０００８】
また、本発明は、上記照明器具において、前記拡散手段が、前記筐体内に配置された反射板を具備し、前記反射板のうち、前記直管状光源に臨む面は、前記直管状光源の長手方向に直交する断面にあって、直管状光源のほぼ中心に向かって凹む曲線であるものを含む。
この構成により、反射板のうち直管状光源に臨む面は、直管状光源の長手方向に直交する断面にあって、直管状光源のほぼ中心に向かって凹む曲面であるため、直管状光源からの光を効率よく集光することができ、ショーケース内の被照射物に対する照明を効率よく行なうことができる。
【０００９】
また、本発明は、上記照明器具において、前記直管状光源が、前記筐体に対して斜め方向に傾斜されたものを含む。
この構成により、直管状光源自体からの光の出射方向を一方に長くなるようにすることができ、結果的に直管状光源の長さ寸法よりも広い範囲にわたって光を照射することができる。
【００１０】
また、本発明は、上記照明器具において、前記直管状光源が、並列配置された第１および第２の直管状光源を具備し、前記第１および第２の直管状光源は、前記筐体に対し傾斜配置されたものを含む。
この構成により、２本の直管状光源の傾斜方向を異ならせることで、照射領域を調整することができる。第１および第２の直管状光源の傾きを対称とすることで、出射方向を両端に長くすることができる。各管軸が互いにねじれの方向に伸張するように、配置されている。
【００１１】
また、本発明は、上記照明器具において、前記拡散手段が、前記直管状光源の長手方向に沿って設けられた偏光パネルを具備し、前記偏光パネルは、前記直管状光源の端部に行くにつれて、拡散度が大きくなるように構成されたものを含む。
この構成により、直管状光源の長手方向に沿って外方に拡がりのある光を照射することができ、結果的に直管状光源の長さ寸法よりも広い範囲にわたって光を照射することができる。
【００１２】
また、本発明は、上記照明器具において、前記拡散手段が、前記直管状光源に対して垂直方向に、複数の反射片が、前記直管状光源の端部から長手方向に沿って間隔が漸減するように配列されたものを含む。
この構成により、直管状光源の中央付近では反射板間隔が小さくなるために遮光される直接光が減少し、結果として中央部が暗くなり、配光の均斉度が高くなる。
【００１３】
また、本発明は、上記照明器具において、前記反射片が、前記直管状光源の周縁を下方から覆うように構成され、長さが、前記直管状光源の中央から端部に行くに従って漸減するものを含む。
この構成により、上記効果に加えて、反射板への反射光が他の反射板から端部方向に向かう反射光を遮らないため、外側に向かって有効に光を導くことができる。
【００１４】
また、本発明は、上記照明器具において、前記反射片は、前記直管状光源の周縁を上方から覆うように構成されたものを含む。
この構成により、ランプから照射される光の損失を少なくし、反射板への反射光を端部側にむけて有効に照射することができる。
【発明の効果】
【００１５】
本発明によれば、直管状光源の長手方向に沿って光を延ばすことができ、良好なバットウイング配光を実現することができる。
【図面の簡単な説明】
【００１６】
【図１】本発明の実施の形態１に係る照明器具の概略構成を示す図
【図２】図１における反射板を示す図
【図３】本発明の実施の形態２に係る照明器具の概略構成を示す図
【図４】図３における反射板を示す図
【図５】本発明の実施の形態３に係る照明器具の概略構成を示す図
【図６】本発明の実施の形態４に係る照明器具の概略構成を示す図
【図７】本発明の実施の形態５に係る照明器具の概略構成を示す図
【図８】本発明の実施の形態６に係る照明器具の概略構成を示す図
【発明を実施するための形態】
【００１７】
以下、本発明の実施の形態に係る照明器具について、図面を参照しつつ詳細に説明する。本発明の実施の形態に係る照明器具は、例えば、直管放電灯である。
【００１８】
（実施の形態１）
図１および図２は、本発明の実施の形態１に係る照明器具の概略構成を示す断面図および反射板を示す図である。図１（ｂ）は図１（ａ）のＡ−Ａ断面図である。図２（ａ）は反射板の斜視図、図２（ｂ）、図２（ｃ）は、図２（ａ）のＢ−Ｂ断面図およびＣ−Ｃ断面図である。なお、図２では、反射板の形状を示す説明図である。
【００１９】
図１および図２に示すように、本実施の形態の照明器具は、下方に開口を有する矩形状の筐体１内に直管状光源としての直管蛍光灯２とを具備し、この直管蛍光灯２の長手方向に沿って、直管蛍光灯２からの光を拡散する拡散手段として断面コの字状の反射板３を配設したことを特徴とする。
この反射板は図２に示すように、直管蛍光灯２の長手方向に沿った断面にあって、端部から中央部に向かうにつれて、直管蛍光灯２と反射板３との間隔が漸減する形状である。図２（ｂ）、図２（ｃ）に示す断面図からあきらかなように、１枚の反射板の両縁を起立させ、起立片２３を形成してこの起立片で直管蛍光灯２からの出射光を反射させるようにしたものである。この起立片２３の幅を中央から端部に行くに従って大きくなるようにし、起立片２３自体も外方に向かうテーパ面を構成している。
【００２０】
この構成によれば、中央から端部方向に向かって扇形状の反射板が傾斜配置されており、直管蛍光灯２から照射される光は反射板３の傾斜部に当たって直管蛍光灯２の長手方向に沿った外方に反射光が照射される。
このようにして、直管蛍光灯２の長手方向に沿って光を延ばすことができ、バットウイング配光を実現することができる。また、反射板３は直管蛍光灯２の長手方向に沿った断面にあって、端部から中央部に向かうにつれて、直管蛍光灯２と反射板３との間隔が漸減する形状としているため、直管蛍光灯２の長手方向断面においてはバットウイング配光を行なうことができ、直管蛍光灯２の長さ寸法よりも広い範囲にわたって光を照射することができる。
【００２１】
（実施の形態２）
図３および図４は、本発明の実施の形態２に係る照明器具の概略構成を示す断面図および反射板を示す図である。図３（ｂ）は図３（ａ）のＡ−Ａ断面図である。図４（ａ）は反射板の斜視図、図４（ｂ）、図４（ｃ）は、図４（ａ）のＢ−Ｂ断面図およびＣ−Ｃ断面図である。
【００２２】
図３および図４に示すように、本実施の形態の照明器具は、拡散手段として、筐体１内に配置された反射板３を具備し、反射板３のうち、直管蛍光灯２に臨む面３３は、直管蛍光灯２の長手方向に直交する断面にあって、直管蛍光灯２のほぼ中心に向かって凹む曲線となるように構成され、凹面鏡を構成している。
図４（ｂ）、図４（ｃ）は、図４（ａ）のＢ−Ｂ断面図およびＣ−Ｃ断面図であるが、長手方向に沿って中央から端部に行くに従い、次第に径大となるような凹面鏡を構成している。従って端部に向かって拡がる形状の断面を形成している。つまり中央部から端部に向かって半メガホン形状の反射板３が傾斜配置されている。
この構成により、反射板３のうち直管蛍光灯２に臨む面３３は、直管蛍光灯２の長手方向に直交する断面にあって、直管蛍光灯２のほぼ中心に向かって凹む曲面であり、直管蛍光灯２の長手方向に沿って反射板３が傾斜配置されているため、直管蛍光灯２からの光を効率よく集光することができ、ショーケース内の被照射物に対する照明を効率よく行なうことができる。
【００２３】
（実施の形態３）
図５は、本発明の実施の形態３に係る照明器具の概略構成を示す断面図である。図５（ｂ）は図５（ａ）のＡ−Ａ断面図である。
【００２４】
また、本発明の実施の形態３の照明器具においては、直管状光源として、第１および第２の直管蛍光灯２ａ、２ｂが、並置されており、各管軸が互いにねじれの方向に位置するように形成され、第１および第２の直管蛍光灯２ａ、２ｂの間にある１点を中心として互いに点対称となるように筐体１に対して斜め方向に傾斜配置されたことを特徴とする。１０２ａは第１の直管蛍光灯２ａの光照射領域、１０２ｂは第２の直管蛍光灯２ｂの光照射領域を示す。この光照射領域も互いに各直管蛍光灯の間の点を中心に点対称となるように互いに逆の方向に拡がっている為、結果として長手方向に沿って光照射領域が拡がったことになる。
この構成により、第１および第２の直管蛍光灯２ａ、２ｂそれぞれについて各直管蛍光灯自体からの光の出射方向を一方に長くなるようにすることができ、結果的に第１および第２の直管蛍光灯２ａ、２ｂそれぞれの長さ寸法よりも広い範囲にわたって光を照射することができる。
【００２５】
また、２本の直管蛍光灯２ａ、２ｂの傾斜方向を異ならせることで、照射領域を調整することができる。第１および第２の直管蛍光灯２ａ、２ｂの傾きを逆方向で同一となるようにすることで、出射方向を両端に長くすることができる。
【００２６】
（実施の形態４）
図６は、本発明の実施の形態４に係る照明器具の概略構成を示す断面図である。図６（ｂ）は図６（ａ）のＡ−Ａ断面図である。
【００２７】
本実施の形態では拡散手段として偏光パネル１３を用いたことを特徴とする。この偏光パネル１３は、直管蛍光灯２の端部に行くにつれて、拡散度が大きくなるように構成されている。具体的には、中央から端部に行くにつれて散乱物質の密度を高くした散乱物質含有樹脂で構成する。あるいは形状加工に変化をつけるなどの方法も適用可能である。
このようにして偏光パネル１３を用いることで、直管蛍光灯２の光を外方に向かうように制御することにより、両端方向に広がりのある光照射を実現することができる。
この構成により、直管蛍光灯２の長手方向に沿って外方に拡がりのある光を照射することができ、結果的に直管蛍光灯２の長さ寸法よりも広い範囲にわたって光を照射することができる。
【００２８】
（実施の形態５）
図７は、本発明の実施の形態５に係る照明器具の概略構成を示す断面図である。図７（ｂ）は図７（ａ）のＡ−Ａ断面図である。
【００２９】
本実施の形態の照明器具において、拡散手段として、直管蛍光灯２に対して垂直方向に、直管蛍光灯２の周縁を下方から覆うように形成された反射板としての複数の反射片４３が、直管蛍光灯２の端部から長手方向に沿って間隔が漸減するように配列されている。そしてこの反射片４３は、直管蛍光灯２の周縁を下方から覆うように構成される。
つまり反射片は直管蛍光灯２の長手方向の端部から中央に向かって間隔が漸減するように配置されているため、直管蛍光灯２の中央付近では反射片間隔が小さくなり、遮光される直接光が減少する。この結果中央部が暗くなり、配光の均斉度が高くなる。
【００３０】
また、反射片４３は、直管蛍光灯２の長手方向の中央から端部に向かって低い位置まで垂下するように構成されているため、反射片への反射光が他の反射片に対する反射光を遮ぎらないため、端部に向かって有効な光照射を実現することができる。
【００３１】
この構成により、反射板への反射光が他の反射板から端部方向に向かう反射光を遮らないため、外側に向かって有効に光を導くことができる。
【００３２】
（実施の形態６）
図８は、本発明の実施の形態６に係る照明器具の概略構成を示す断面図である。図８（ｂ）は図８（ａ）のＡ−Ａ断面図である。
【００３３】
本実施の形態の照明器具において、拡散手段として、直管蛍光灯２に対して垂直方向に、直管蛍光灯２の周縁を上方から覆うように形成された反射板としての複数の反射片５３が、直管蛍光灯２の端部から長手方向に沿って間隔が漸減するように配列されている。そしてこの反射片５３は、直管蛍光灯２の周縁を上方から覆うように構成され、長さが、直管蛍光灯２の管軸に垂直な断面における中心よりも低い位置まで垂下し、高さは均一である。
【００３４】
この構成によれば、反射片５３の存在により、ランプから照射される光の損失を少なくし、反射板への反射光を端部側にむけて有効に照射することができる。
【００３５】
以上説明してきたように、本発明によれば、直管蛍光灯などの直管状光源の長手方向に沿って光を延ばすことができ、良好なバットウイング配光を実現することができ、必要とする光源の数を低減することができ、省エネルギー効果を得ることができることから、ショーケースなどの長手方向の照明に有効である。
【符号の説明】
【００３６】
１  筐体
２  直管蛍光灯
３  反射板
１３  偏光パネル
２３  起立片
３３  面
４３、５３  反射片
【図１】
2010225298.tif 000003
【図２】
2010225298.tif 000004
【図３】
2010225298.tif 000005
【図４】
2010225298.tif 000006
【図５】
2010225298.tif 000007
【図６】
2010225298.tif 000008
【図７】
2010225298.tif 000009
【図８】
2010225298.tif 000010